(57)【要約】【課題】  プラグインアダプタの上面にブレーカ、端子台等の電気機器を搭載したプラグインユニットにおいて、電気機器を取付孔の位置が異なるメーカのものに変更しても対応できるものを提供する。【解決手段】  裏側に主幹バー３への接続端子２１を設けた接続バー２を配置したプラグインアダプタ１の上面に機器取付ベース５を介在させて電気機器６を取り付ける。機器取付ベース５を変更したり、加工を加えることにより取付孔の位置が異なる他のメーカの電気機器への変更に対応することができる。【選択図】  図１
2005158420.tif 000002
【特許請求の範囲】
【請求項１】
裏側に主幹バーへの接続端子を設けた接続バーを配置したプラグインアダプタの上面に機器取付ベースを介在させて電気機器を取り付けたことを特徴とするプラグインユニット。
【請求項２】
機器取付ベースを鋼板よりなるものとした請求項１に記載のプラグインユニット。
【請求項３】
プラグインアダプタの上面と機器取付ベースとの間に間隙を設けた請求項１又は２に記載のプラグインユニット。
【請求項４】
鋼板よりなるものとした機器取付ベースにプラグインユニット取付レールへの導通部を設けた請求項２又は３に記載のプラグインユニット。
【発明の詳細な説明】
【技術分野】
【０００１】
本発明は、プラグインアダプタの上面にブレーカ、端子台等の電気機器を搭載したプラグインユニットに関するものである。
【背景技術】
【０００２】
プラグインアダプタの上面にブレーカ、端子台等の電気機器を搭載したプラグインユニットは、例えば、特許文献１に記載されているように電気機器をプラグインアダプタの上面に直接取り付けるものであった。ところが、このようなものは、合成樹脂製のプラグインアダプタの上面にこれに搭載する電気機器に設けた取付ねじ挿通孔と対応するタップ孔を設けている。そのためメーカの異なる電気機器に変更する場合には電気機器に設けたの取付ねじ挿通孔はメーカ毎に異なるためそのタップ孔では対応できない問題がある。
【０００３】
また、プラグインアダプタへの電気機器の取付、取外しを繰り返し行った場合には、プラグインアダプタが合成樹脂製であることからタップ孔のねじ部が潰れて、取付ねじが締め付けできなくなり、プラグインアダプタを交換しなければならない問題がある。
【特許文献１】特開平５−３０８７０５公開特許公報（図３）
【発明の開示】
【発明が解決しようとする課題】
【０００４】
本発明は前記のような従来の問題点を解決して、ブレーカ、端子台等の電気機器を取付孔の位置が異なるメーカのものに変更しても対応できるプラグインユニットを提供することである。
【課題を解決するための手段】
【０００５】
本発明のプラグインユニットは、裏側に主幹バーへの接続端子を設けた接続バーを配置したプラグインアダプタの上面に機器取付ベースを介在させて電気機器を取り付けたことを特徴とするものである。また、この発明において、機器取付ベースを鋼板よりなるものとすることが好ましく、また、これらの発明において、プラグインアダプタの上面と機器取付ベースとの間に間隙を設けてもよく、さらには、鋼板よりなるものとした機器取付ベースにプラグインユニット取付レールへの導通部を設けてもよい。
【発明の効果】
【０００６】
本発明のプラグインユニットは、電気機器をプラグインアダプタの上面に機器取付ベースを介して取り付けたものであるから、電気機器に対応した取付孔を設けた機器取付ベースをプラグインアダプタの上面に取り付けることにより、取付位置の異なるメーカの電気機器への変更に対応できるものである。また、機器取付ベースを鋼板よりなるものとすることにより、取付用のねじ孔を任意の箇所に後付けできるので、機器取付ベースを変更することなくメーカの異なる電気機器への変更に対応できるものである。
【０００７】
また、プラグインアダプタの上面と機器取付ベースとの間に間隙を設けておけば、複数台を間隙が連通するように上下に並列して設置すればこの間隙が放熱通路となり、電気機器の発する熱を上方に速やかに導いて放熱して温度上昇を抑制できるものである。また、前記間隙は取付用のねじ孔を任意の箇所に後付けした場合の取付ねじの先端部を逃がす役割を持つものである。さらに、鋼板よりなるものとした機器取付ベースにプラグインユニット取付レールへの導通部を設けておけば、漏電事故に対応できるものである。
【発明を実施するための最良の形態】
【０００８】
次に、本発明の好ましい実施の形態を図面に基づき説明する。
１は裏側に主幹バーへの接続端子２１を設けた接続バー２を３本配置した合成樹脂製のプラグインアダプタである。このプラグインアダプタ１は分電盤、配電盤等の盤面に垂直に配置した３本の主幹バー３に前記接続端子２１を接続させるとともに、この３本の主幹バー３の両側に設置した断面コ字型のプラグインユニット取付レール４にプラグインアダプタ１の両側に張設した取付片部１１、１１を支持させたうえ取付片部１１に設けた取付孔１１ａにねじを挿通して固定して取り付けるものである。
【０００９】
プラグインアダプタ１は上面に機器取付ベース５を介在させてブレーカ、接続用端子台等の電気機器６が取り付けられている。すなわち、図３に示すように機器取付ベース５をプラグインアダプタ１の上面に設けたねじ孔１２に該機器取付ベース５に設けたねじ挿通孔５１から挿通したねじ５２を螺合して取り付け、そしてこの機器取付ベース５に電気機器６を該機器取付ベース５に設けた機器取付孔５３に電気機器６に設けた取付用貫通孔６１に取付ねじ６２を螺合して取り付けている。なお、図１及び図２に示すものは電気機器６としてブレーカを図６、図７及び図８に示すものは電気機器６として接続用端子台を搭載したものである。
【００１０】
このように、電気機器６はプラグインアダプタ１の上面に機器取付ベース５を介して取り付けたものであるから、電気機器６を取付用貫通孔６１の位置が異なる他のメーカのものに変更する場合には、この取付用貫通孔６１に対応した機器取付孔５３を設けた機器取付ベース５に変更することにより対応することができるものである。なお、この場合に変更する機器取付ベース５のねじ挿通孔５１の位置はプラグインアダプタ１に設けたねじ孔１２と合致するものであることは勿論である。
【００１１】
また、前記した機器取付ベース５は特に材質は限定しないが鋼板よりなるものとすることが好ましい。すなわち、機器取付ベース５を鋼板よりなるものとすることにより機器取付孔５３に容易に雌ねじ加工ができて機器取付ベース５の裏面にナットを取り付ける必要もなく、また、この雌ねじは強度のある鋼板に設けたものであるから繰り返して使用してもねじ部が潰れることがなく締結機能を損なうことがないものである。さらに、電気機器６を他のメーカのものに変更した場合に機器取付孔５３をそれに合致した箇所に加工でき、機器取付ベース５の変更を不要とする利点がある。
【００１２】
なお、機器取付ベース５をプラグインアダプタ１に取り付けるための取付用のねじ５２の頭部が該機器取付ベース３の上面から突出して電気機器６の取り付けの障害とならないようにねじ挿通孔５１を図４に示すように上部を皿状凹部５１ａに形成して、取付用のねじ５２をその頭部５２ａがこの皿状凹部５１ａに納まる皿ねじとすることが好ましいものである。
【００１３】
また、プラグインアダプタ１の上面と機器取付ベース５との間には間隙Ｓが設けられている。この間隙Ｓはプラグインアダプタ１の上面に一体に設けたスペーサ用のリブ１５により形成されているが、機器取付ベース５の裏面に鋼板の一部を下方に切起こした板片をスペーサとしても、或いは別異のスペーサ部材を介在させて形成してもよくその手段は特に限定されるものではない。このように間隙Ｓを設けることにより、プラグインアダプタ１の上面に機器取付ベース５を介して電気機器６を取り付けたプラグインユニット（Ａ）の複数台を図１０に示すように上下に並列して設置すれば各間隙Ｓが上下に連通して放熱通路となり、電気機器６の発する熱を上方に速やかに導いて放熱して温度上昇を抑制できるものである。また、前記間隙Ｓは取付用のねじ孔を任意の箇所に後付けした場合の取付ねじの先端部を逃がす役割を持つものである。なお、プラグインアダプタ１の上面と機器取付ベース５との間を間隙Ｓを設けた場合には、プラグインアダプタ１に設けるねじ孔１２は該プラグインアダプタ１の上面に立設したボス部に設けるものとしている。
【００１４】
さらに、図８及び図９に示すように、鋼板よりなるものとした機器取付ベース５にプラグインユニット取付レール６への導通部５５を設けてもよい。この導通部５５を設けることにより、機器取付ベース５へ漏電があってもプラグインユニット取付レール３を介してアースすることができるので漏電による事故を防止できるものである。
【００１５】
なお、前記導通部５５は図８に示すものは、機器取付ベース５とプラグインアダプタ１の取付片部１１との間に導通片５５を差し渡してその一端を機器取付ベース５にねじ止めして他端に取付片部１１の取付孔１１ａと合致する孔部５５ａを設けてプラグインユニット取付レール６に取付片部１１を固定するねじにより該プラグインユニット取付レール６に導通させるものである。また、図９に示すものは、機器取付ベース５の端面に導通片部５５を連設したうえその先端に設けた取付片部１１の取付孔１１ａと合致する孔部５５ａを設けてプラグインユニット取付レール６に取付片部を固定するねじにより該プラグインユニット取付レール６に導通させるものである。
【図面の簡単な説明】
【００１６】
【図１】本発明の実施形態を示す側面図である。
【図２】本発明の実施形態を示す斜視図である。
【図３】プラグインアダプタと機器取付ベースを示す斜視図である。
【図４】プラグインアダプタと機器取付ベースの取付状体の要部を示す断面である。
【図５】プラグインアダプタを下方側から示す斜視図である。
【図６】本発明の実施形態の他例を示す側面図である。
【図７】本発明の実施形態の他例を示す平面図である。
【図８】機器取付ベースにプラグインユニット取付レールへの導通部を設けた実施形態の１例を示す平面図である。
【図９】機器取付ベースにプラグインユニット取付レールへの導通部を設けた実施形態の他例を示す斜視図である。
【図１０】本発明を使用した分電盤を示す正面図である。
【符号の説明】
【００１７】
１  プラグインアダプタ
２  接続バー
21  接続端子
３  主幹バー
４  プラグインユニット取付レール
５  機器取付ベース
６  電気機器
Ｓ  間隙
【図１】
2005158420.tif 000003
【図２】
2005158420.tif 000004
【図３】
2005158420.tif 000005
【図４】
2005158420.tif 000006
【図５】
2005158420.tif 000007
【図６】
2005158420.tif 000008
【図７】
2005158420.tif 000009
【図８】
2005158420.tif 000010
【図９】
2005158420.tif 000011
【図１０】
2005158420.tif 000012